(57)【要約】【課題】  情報の受発信効果を高め、また、事故や災害時でも継続してコンテンツ受信と表示が可能な情報表示装置、情報表示方法及びプログラムを提供する。【解決手段】  出力装置に表示したコンテンツのコンテンツＩＤの履歴を記憶する再生済みコンテンツＩＤ記憶部と、コンテンツやそのコンテンツＩＤの送受信を行う通信部と、前記通信部を介して周囲の通信可能な他の情報表示装置を検索し、前記コンテンツＩＤの履歴に基づいて、前記他の情報表示装置から受信するコンテンツを選択し、選択されたコンテンツを前記通信部で受信して前記出力装置に表示する場合、前記コンテンツのコンテンツＩＤを前記再生済みコンテンツＩＤの履歴へ追加する制御部とを含む情報表示装置。【選択図】      図１
2014165783.tif 000002
【特許請求の範囲】
【請求項１】
出力装置に表示したコンテンツのコンテンツＩＤの履歴を記憶する再生済みコンテンツＩＤ記憶部と、
コンテンツやそのコンテンツＩＤの送受信を行う通信部と、
前記通信部を介して周囲の通信可能な他の情報表示装置を検索し、前記コンテンツＩＤの履歴に基づいて、前記他の情報表示装置から受信するコンテンツを選択し、選択されたコンテンツを前記通信部で受信して前記出力装置に表示する場合、前記コンテンツのコンテンツＩＤを前記再生済みコンテンツＩＤの履歴へ追加する制御部と
を含む情報表示装置。
【請求項２】
コンテンツの種別情報を記憶する要求種別記憶部を更に備え、
前記制御部は、前記通信可能な他の情報表示装置が記憶するコンテンツの種別情報と前記種別情報との一致を判断し、その判断結果と前記コンテンツＩＤに応じて前記コンテンツを選択する請求項１記載の情報表示装置。
【請求項３】
前記制御部は、前記通信可能な他の情報表示装置が記憶する前記コンテンツの種別情報と前記コンテンツＩＤと前記コンテンツのセキュリティの状態に応じて、前記コンテンツを選択する請求項２記載の情報表示装置。
【請求項４】
発電部を備えた蓄電装置と接続し、前記蓄電装置からの放電が終了するまで、継続して前記コンテンツ受信と表示が可能となる請求項１乃至３のいずれか１つに記載の情報表示装置。
【請求項５】
コンテンツを記憶する周囲の通信可能な他の情報表示装置を検索し、
他の情報表示装置から受信するコンテンツを選択し、
前記コンテンツを出力装置に表示し、
前記コンテンツのコンテンツＩＤを再生済みコンテンツＩＤの履歴へ追加する
情報表示方法。
【請求項６】
コンテンツの種別情報を要求種別記憶部に記憶し、
さらに、前記通信可能な他の情報表示装置が記憶するコンテンツの種別情報と前記要求種別記憶部に記憶されている種別情報との一致を判断し、その判断結果と前記コンテンツＩＤに応じて前記コンテンツを選択する請求項５記載の情報表示方法。
【請求項７】
前記制御部は、前記通信可能な他の情報表示装置が記憶する前記コンテンツの種別情報と前記コンテンツＩＤと前記コンテンツのセキュリティの状態に応じて、前記コンテンツを選択する請求項５記載の情報表示方法。
【請求項８】
発電部を備えた蓄電装置と接続し、前記蓄電装置からの放電が終了するまで、継続して前記コンテンツ受信と表示が可能となる請求項５乃至７のいずれか１つに記載の情報表示方法。
【請求項９】
コンテンツを記憶する周囲の通信可能な他の情報表示装置を検索する処理と、
他の情報表示装置から受信する制御部が受信する前記コンテンツを選択する処理と、
前記コンテンツを出力装置に表示した場合、前記コンテンツのコンテンツＩＤを再生済みコンテンツＩＤの履歴へ追加する処理と
をコンピュータに実行させるプログラム。
【請求項１０】
前記通信可能な他の情報表示装置が記憶する前記コンテンツの種別情報と前記コンテンツＩＤと前記コンテンツのセキュリティの状態に応じて受信する前記コンテンツを選択する請求項９記載のプログラム。
【発明の詳細な説明】
【技術分野】
【０００１】
本発明は、コンテンツを表示可能な情報表示装置、情報表示方法、及びそのためのプログラムに関する。
【背景技術】
【０００２】
情報表示装置において、データ通信のネットワークに接続される他の情報表示装置から、コンテンツ表示のためのデータを受信して表示する技術が知られている。この情報表示装置の一例が特許文献１に記載されている。特許文献１に記載された情報表示装置は、コンテンツサービス管理装置と、そのコンテンツサービス管理装置に接続される情報処理デバイス（単に、デバイスも言う）とを備える。コンテンツサービス管理装置は、各デバイスから情報を収集して管理し、さらにその情報に基づいてデバイス間のコンテンツの送受信を制御する。
【先行技術文献】
【特許文献】
【０００３】
【特許文献１】特開２０１１−０９６２５８号公報
【発明の概要】
【発明が解決しようとする課題】
【０００４】
しかしながら、上述した特許文献１に記載された技術は、デバイス間のコンテンツの送受信はコンテンツサービス管理装置が制御する。したがって、特許文献１に記載された技術は、災害や事故などが原因でコンテンツサービス管理装置の機能がダウンもしくはデバイスとコンテンツサービス管理装置との通信が喪失された場合、継続稼動は困難になるという問題点がある。また、この場合、コンテンツの受信は行われない。したがって、新規の情報をすぐに表示したい場合、コンテンツサービス管理装置が復旧、あるいは、そのコンテンツサービス管理装置との間の通信経路が復旧するまで不可能になる。
【０００５】
本発明の目的の一例は、上述した問題点を解決できる情報表示装置、情報表示方法およびプログラムを提供することにある。
【課題を解決するための手段】
【０００６】
本発明の一形態における情報表示装置は、出力装置に表示したコンテンツのコンテンツＩＤの履歴を記憶する再生済みコンテンツＩＤ記憶部と、コンテンツやそのコンテンツＩＤの送受信を行う通信部と、前記通信部を介して周囲の通信可能な他の情報表示装置を検索し、前記コンテンツＩＤの履歴に基づいて、前記他の情報表示装置から受信するコンテンツを選択し、選択されたコンテンツを前記通信部で受信して前記出力装置に表示する場合、前記コンテンツのコンテンツＩＤを前記再生済みコンテンツＩＤの履歴へ追加する制御部とを備える。
【０００７】
本発明の一形態における情報表示方法は、コンテンツを記憶する周囲の通信可能な他の情報表示装置を検索し、他の情報表示装置から受信するコンテンツを選択し、前記コンテンツを出力装置に表示し、前記コンテンツのコンテンツＩＤを再生済みコンテンツＩＤの履歴へ追加する。
【０００８】
本発明の一形態における情報表示プログラムは、コンピュータに、コンテンツを記憶する周囲の通信可能な他の情報表示装置を検索する処理と、他の情報表示装置から受信する制御部が受信する前記コンテンツを選択する処理と、前記コンテンツを出力装置に表示した場合、前記コンテンツのコンテンツＩＤを再生済みコンテンツＩＤの履歴へ追加する処理を実行させる。
【発明の効果】
【０００９】
本発明によれば、情報の受発信の確実性を高めることができ、また、事故や災害時でも継続してコンテンツ受信と表示の可能性を高めることができるという効果が得られる。
【図面の簡単な説明】
【００１０】
【図１】図１は、本発明の第１の実施形態の構成を示すブロック図である。
【図２】図２は、第１の実施の形態における再生済みコンテンツＩＤリスト３００の一例を示す図である。
【図３】図３は、第１の実施の形態における情報表示装置１００をコンピュータ装置とその周辺装置で実現したハードウェア構成を示す図である。
【図４】図４は、第１の実施の形態における情報表示装置１００のコンテンツ受信および表示動作を示すフローチャートである。
【図５】図５は、本発明の第２の実施の形態の構成を示すブロック図である。
【図６】図６は、本発明の第３の実施の形態の構成を示すブロック図である。
【発明を実施するための形態】
【００１１】
次に、本発明の実施形態について図面を参照して詳細に説明する。
【００１２】
［第１の実施の形態］
図１は、本発明の第１の実施の形態における情報表示装置１００の構成を示すブロック図である。図１を参照すると、情報表示装置１００は、通信部１１０と制御部１２０と要求種別記憶部１３０と再生済みコンテンツＩＤリスト記憶部（再生済みコンテンツＩＤ記憶部とも言う）１４０とコンテンツ記憶部１５０と受信モード記憶部１６０と、を備える。なお、情報表示装置１００は、コンテンツを表示する出力装置（たとえば、ディスプレイ）を有するが、図１では省略されている。また、情報表示装置１００は、情報を表示するための特定の表示装置に限らず、データの情報処理を実行する一般的なコンピュータ装置あるいは通信装置としての機能を備える装置であっても良い。
【００１３】
次に、第１の実施の形態における情報表示装置１００の構成について説明する。
【００１４】
通信部１１０は、他の情報表示装置とコンテンツや種別情報、コンテンツＩＤの送受信を行う。また、情報表示装置１００の周囲に通信できる端末があるかどうかの確認を行う。通信方式は、近距離通信の一形態であるＢｌｕｅｔｏｏｔｈ（登録商標）、Ｗｉ−Ｆｉなどいずれの方法でも良く、種類を問わない。また、無線通信の利用が好ましいが、有線通信を利用しても構わない。
【００１５】
制御部１２０は、情報表示装置１００における処理の制御を行う。具体的には、制御部１２０は、少なくとも、
（１）受信モードの確認と変更、
（２）他の情報表示装置が記憶するコンテンツの種別情報と要求種別記憶部１３０が記憶する要求種別情報の照合、
（３）他の情報表示装置が記憶するコンテンツのコンテンツＩＤと再生済みコンテンツＩＤリスト記憶部１４０が記憶する再生済みコンテンツＩＤリストの照合、
（４）他の情報表示装置が記憶するコンテンツのセキュリティ確認、受信したコンテンツのコンテンツ記憶部１５０への送信、
（５）コンテンツ記憶部１５０に記憶されたコンテンツの表示、
（６）表示したコンテンツのコンテンツＩＤの再生済みコンテンツＩＤリストへの追記、
を制御する。他の情報表示装置が記憶するコンテンツのセキュリティ確認に必要なウイルス定義ファイルは、情報表示装置１００内もしくは他の情報表示装置内に有する図示しない記憶部に記憶されている。
【００１６】
なお、コンテンツの種別情報とは、コンテンツの内容がどのような情報であるかを、何らかの方法（例えば記号や数字に各々の種別を割り当てるなど）で表したものである。コンテンツの内容としては、例えば商品の広告や天気予報やニュースなどである。商品の広告であれば、化粧品や食品など商品のカテゴリーによって更に細かく種別情報を分類してもよく、また、天気予報やニュースであれば、地域や時間などにより更に分類してもよい。ファイルの種類（動画ファイルや画像ファイルなど）により更に分類してもよい。種別情報の分類の運用管理は、情報表示装置１００の管理者または利用者が任意で決定してよい。
【００１７】
また、前述の種別情報およびコンテンツＩＤは、当該コンテンツに直接記録され、もしくは当該コンテンツに付属する図示しない情報ファイルに記録され、外部の端末（例えば他の情報表示装置）から参照できることとする。
【００１８】
要求種別記憶部１３０は、あらかじめ情報表示装置１００の管理者または利用者が図示しない入力装置を操作して入力される、情報表示装置１００が表示すべきコンテンツの種別情報もしくは種別情報の条件式を記憶する。
【００１９】
再生済みコンテンツＩＤリスト記憶部１４０は、情報表示装置１００が過去に表示したコンテンツのコンテンツＩＤの履歴を記憶する。再生済みコンテンツＩＤリスト記憶部１４０は、その履歴の一形態として、再生済みコンテンツＩＤリストを記憶する。
【００２０】
再生済みコンテンツＩＤリスト記憶部１４０に記憶される再生済みコンテンツＩＤリストの一例を図２に示す。図２に示した再生済みコンテンツＩＤリスト３００は、情報表示装置１００が過去に表示したコンテンツのコンテンツＩＤ、種別情報、ファイル名、表示日時の履歴が記録される。ただし、これは一例であり、少なくとも情報表示装置１００が過去に表示したコンテンツのコンテンツＩＤの履歴が記録されていればよい。
【００２１】
コンテンツ記憶部１５０は、情報表示装置１００が表示するコンテンツを記憶する。なお、コンテンツは情報表示装置１００の外部にある図示しないストレージに記憶してもよく、その場合にコンテンツ記憶部１５０は省略できる。
【００２２】
受信モード記憶部１６０は、情報表示装置１００の受信モードがＯＮであるかＯＦＦであるかを記憶する。受信モードとは、情報表示装置１００が現在コンテンツの受信を必要としているかどうかを示すものである。本実施形態では、情報表示装置１００が受信モードＯＮの場合、情報表示装置１００はコンテンツを記憶していない状態であり、受信モードＯＦＦの場合、情報表示装置１００はコンテンツを記憶している状態である。
【００２３】
情報表示装置１００の受信モードは制御部１２０が直接記憶し制御してもよく、その場合、受信モード記憶部１６０は不要である。
【００２４】
図３は、本発明の第１の実施の形態における情報表示装置１００をコンピュータおよびその周辺装置で実現したハードウェア構成を示す図である。図３に示されるように、情報表示装置１００は、通信インタフェース１０、ＣＰＵ１１、出力装置１２、入力装置１３、主記憶装置１４、および二次記憶装置１５を含む。
【００２５】
通信インタフェース１０は、周辺端末との通信のための端末インタフェースを構成する。また通信インタフェース１０は、図示しないネットワークとの接続制御のためのインタフェースも含む。第１の実施の形態においては通信部１１０として機能する。
【００２６】
ＣＰＵ１１は、オペレーティングシステムを動作させて本発明の第１の実施の形態に係る情報表示装置１００の全体を制御する。また、ＣＰＵ１１は、例えば二次記憶装置１５から主記憶装置１４にプログラムやデータを読み出す。そして、ＣＰＵ１１は、第１の実施の形態における制御部１１０として機能し、プログラム制御に基づいて各種の処理を実行する。また、ＣＰＵ１１は、１つに限らず２つ以上備えていてもよい。
【００２７】
出力装置１２は、例えばディスプレイ、表示器で実現され、出力を確認するために用いられる。
【００２８】
入力装置１３は、例えばマウスやキーボード、内蔵のキーボタンなどで実現され、入力操作に用いられる。入力装置１３は、マウスやキーボード、内蔵のキーボタンに限らず、例えばタッチパネルでもよい。
【００２９】
二次記憶装置１５は、例えば光ディスク、フレキシブルディスク、磁気光ディスク、外付けハードディスク、または半導体メモリ等であって、コンピュータプログラムをコンピュータ読み取り可能に記録する。また、コンピュータプログラムは、通信網に接続されている図示しない外部コンピュータからダウンロードされてもよい。第１の実施の形態においては要求種別記憶部１３０、再生済みコンテンツＩＤリスト記憶部１４０、コンテンツ記憶部１５０、受信モード記憶部１６０として機能する。
【００３０】
なお、第１の実施の形態の説明において利用されるブロック図（図１）には、ハードウェア単位の構成ではなく、機能単位のブロックが示されている。これらの機能ブロックは図２に示されるハードウェア構成によって実現される。ただし、情報表示装置１００が備える各部の実現手段は特に限定されない。すなわち、情報表示装置１００は、物理的に結合した一つの装置により実現されてもよいし、物理的に分離した二つ以上の装置を有線または無線で接続し、これら複数の装置により実現されてもよい。
【００３１】
また、ＣＰＵ１１は、二次記憶装置１５に記録されているコンピュータプログラムを読み込み、そのプログラムにしたがって、制御部１１０として動作してもよい。
【００３２】
また、前述のプログラムのコードを記録した記録媒体（または記憶媒体）が、情報表示装置１００に供給され、情報表示装置１００が記録媒体に格納されたプログラムのコードを読み出し実行してもよい。すなわち、本発明は、第１の実施の形態における情報表示装置１００が実行するためのソフトウェア（情報表示プログラム）を一時的に記憶するまたは非一時的に記憶する二次記憶装置１５も含む。
【００３３】
以上のように構成された情報表示装置１００の動作について、図４のフローチャートを参照して説明する。
【００３４】
図４は、第１の実施の形態における情報表示装置１００でのコンテンツ受信および表示の動作の概要を示すフローチャートである。尚、このフローチャートによる処理は、前述したＣＰＵによるプログラム制御に基づいて、実行されても良い。
【００３５】
図４に示すように、まず、情報表示装置１００の制御部１２０は、受信モード記憶部１６０の受信モードがＯＮであるかどうか確認する（ステップＳ１０１）。受信モードがＯＦＦであれば（ステップＳ１０１でＮＯ）既にコンテンツを受信し記憶済みであるため処理を終了する。
【００３６】
なお、ステップＳ１０１の動作は、図２の入力装置１３から特定の操作入力を制御部１２０のＣＰＵが検出することで実行されても良い。
【００３７】
受信モードがＯＮである場合（ステップＳ１０１でＹＥＳ）、次に、通信部１１０は、情報表示装置１００の周囲に他の通信可能な情報表示装置があるかどうか確認をする（ステップＳ１０２）。具体的な確認方法は、例えば、通信部１１０から確認用信号を周囲の他の情報表示装置に送信する。そして、その確認信号を受信した他の通信可能な情報表示装置は、レスポンス信号を情報表示装置１００に送信する。さらに、情報表示装置１００の通信部１１０がそのレスポンス信号を受信することで、通信部１１０または制御部１２０はレスポンス信号を送信した情報表示装置を認識する。これは一例であり、確認方法はどのような方法でも構わない。他の通信可能な情報表示装置の存在を認識できなかった場合は処理を終了する。
【００３８】
他の通信可能な情報表示装置の存在を認識できた場合（ステップＳ１０２でＹＥＳ）、制御部１２０は、存在を認識した情報表示装置の受信モードがＯＦＦであるかどうかを確認する（ステップＳ１０３）。この確認は、他の通信可能な情報表示装置から受信されるレスポンス信号や他の制御情報に含まれる情報からＣＰＵ１１が判断する。存在を認識した情報表示装置の受信モードがＯＦＦであるとは、その情報表示装置はコンテンツを記憶している状態であることを示す。もし、ＯＮであれば、存在を認識した情報表示装置は、コンテンツを記憶していないことを示す。
【００３９】
存在を認識した情報表示装置の受信モードがＯＦＦであった場合（ステップＳ１０３でＹＥＳ）、制御部１２０は、存在を認識した情報表示装置が記憶しているコンテンツの種別情報とコンテンツＩＤを参照する（ステップＳ１０４）。
【００４０】
次に、制御部１２０は、ステップＳ１０４で参照したコンテンツの種別情報が、情報表示装置１００の要求種別記憶部１３０に記憶されている要求種別情報と一致しているか否かを判断する（ステップＳ１０５）。これにより、管理者または操作者が要求するコンテンツの種別が選択可能となる。
【００４１】
要求種別情報と一致している場合（ステップＳ１０５でＹＥＳ）、制御部１２０は、ステップＳ１０４で一致と判断したコンテンツＩＤが、情報表示装置１００の再生済みコンテンツＩＤリスト記憶部１４０に記憶されている再生済みコンテンツＩＤリストに記載されていないか確認する（ステップＳ１０６）。
【００４２】
再生済みコンテンツＩＤリストに記載されていない場合（ステップＳ１０６でＹＥＳ）、制御部１２０は、存在を認識した情報表示装置に記憶されているコンテンツを対象にセキュリティチェックを行う（ステップＳ１０７）。
【００４３】
セキュリティチェックとは、具体的にはコンピュータウイルスに感染しているかなど、コンテンツを受信し記憶するにあたり情報表示装置１００に問題を発生させる要因がコンテンツに存在しているかどうかの確認である。また、確認対象のコンテンツは、存在を認識した情報表示装置に記憶されている状態で直接、制御部１２０がセキュリティチェックを行い、問題がないと確認できるまでは、情報表示装置１００へのコンテンツの受信は行わない。
【００４４】
ステップＳ１０７でのセキュリティチェックの結果問題が発見された場合（ステップＳ１０８でＮＯ）、またはステップＳ１０６で再生済みコンテンツＩＤリストに既に記載があった場合、またはステップＳ１０５で要求種別情報と一致していなかった場合、またはステップＳ１０３で存在を認識した情報表示装置の受信モードがＯＦＦではなかった場合、通信部１１０は、存在を認識した情報表示装置との通信を終了し、周囲にまだ情報表示装置１００と通信していない通信可能な情報表示装置があるかどうか確認をする（ステップＳ１０９）。確認方法はステップＳ１０２と同様である。他の通信可能な情報表示装置の存在を認識できた場合（ステップＳ１０９でＹＥＳ）、ステップＳ１０３に戻る。認識できなかった場合（ステップＳ１０９でＮＯ）、処理を終了する。
【００４５】
ステップＳ１０７でのセキュリティチェックの結果問題が発見されなかった場合（ステップＳ１０８でＹＥＳ）、制御部１２０は、通信部１１０を通じて、存在を認識した情報表示装置からコンテンツを受信し、そのコンテンツをコンテンツ記憶部１５０に記憶させる（ステップＳ１１０）。
【００４６】
次に、制御部１２０は、受信モード記憶部１６０の受信モードをＯＦＦに設定する（ステップＳ１１１）。
【００４７】
次に、制御部１２０は、ステップＳ１１０にてコンテンツ記憶部１５０に記憶させたコンテンツを図示しない出力部を用いて表示する（ステップＳ１１２）。表示方法は、表示するコンテンツの種類により制御部１２０が決定する。また管理者や利用者が、図示しない入力部により決定してもよい。
【００４８】
コンテンツの表示開始後、制御部１２０は、受信したコンテンツのコンテンツＩＤを再生済みコンテンツＩＤリスト記憶部１４０が記憶する再生済みコンテンツＩＤリストに追加する（ステップＳ１１３）。
【００４９】
以上で、情報表示装置１００は、コンテンツ受信および表示の動作を終了する。
【００５０】
なお、本動作の実行周期は適宜管理者や利用者が決定してよい。
【００５１】
また、本動作においては受信モード記憶部１６０の受信モードをＯＦＦからＯＮに設定する処理はない。受信モードをＯＦＦからＯＮに設定する処理をどういった時期に実施するかについても適宜管理者や利用者が決定してよい。例えば動画コンテンツであれば、コンテンツを管理者や利用者の指定回数または指定時間表示した後にコンテンツ記憶部１５０から削除し受信モードをＯＦＦからＯＮに設定してもよいし、情報表示装置１００が設置される施設の営業時間に合わせて設定してもよい。そのための設定ファイルを、制御部１２０内にて管理しても、別途記憶部を用意して格納してもよい。
【００５２】
次に、本発明の第１の実施の形態の効果について説明する。
【００５３】
上述した本実施形態における情報表示装置１００は、情報の受発信の確実性を高めることができる。また、事故や災害時でも継続してコンテンツ受信と表示の可能性を高めることができるという効果が得られる。
【００５４】
その理由は、以下のような構成を含むからである。
【００５５】
即ち、過去に表示したコンテンツのコンテンツＩＤの履歴を記憶する再生済みコンテンツＩＤ記憶部（再生済みコンテンツＩＤリスト記憶部１４０）と、コンテンツや前記コンテンツＩＤの送受信を行う通信部１１０と、制御部１２０とを含むからである。そして、制御部１２０は、通信部１１０を介して周囲の通信可能な他の情報表示装置を検索し、コンテンツＩＤの履歴に基づいて受信するコンテンツを選択制御する。さらに、制御部１２０は、選択されたコンテンツを通信部１１０により受信して出力装置に表示する場合、そのコンテンツのコンテンツＩＤを再生済みコンテンツＩＤの履歴へ追加するからである。
【００５６】
また、上述した本実施形態における情報表示装置１００は、事故や災害時でも希望する種別のコンテンツを取得することができる。
【００５７】
その理由は、表示すべきコンテンツの種別情報を記憶する要求種別記憶部を備得るからである。さらに制御部１２０は、通信可能な他の情報表示装置が記憶するコンテンツの種別情報と表示すべきコンテンツの種別情報との合致の有無とコンテンツＩＤに応じて受信するコンテンツを選択するからである。
【００５８】
［第２の実施形態］
次に、本発明の第２の実施形態について図面を参照して詳細に説明する。以下、本実施形態の説明が不明確にならない範囲で、前述の説明と重複する内容については説明を省略する。
【００５９】
図５は、本発明の第２の実施形態に係る情報表示装置１０１および蓄電装置２０１の構成を示すブロック図である。
【００６０】
図５を参照すると、本実施形態における情報表示装置１０１は、蓄電装置２０１が接続されている。
【００６１】
蓄電装置２０１は、少なくとも蓄電池（二次電源）と発電部を有する電力供給装置であり、発電部において発生した電流により蓄電池を充電する。発電部の発電方法は太陽電池や風力発電など、いずれの方法でも良い。また、発電部が情報表示装置１０１の稼動に十分な発電能力を有する場合は、情報表示装置１０１は電源を不要とすることができる。
【００６２】
以上の構成により、本実施形態における情報表示装置１０１は、電源からの電力供給が途絶えた場合も、蓄電装置２０１からの放電が終了するまで、継続稼動が可能となる。
【００６３】
次に、本発明の第２の実施の形態の効果について説明する。
【００６４】
上述した本実施形態における情報表示装置１０１は、災害時や事故発生時に継続して情報表示することが可能となる。
【００６５】
その理由は、以下のような構成を含むからである。即ち、第１に情報表示装置１０１は、第１の実施の形態と同じく、情報表示装置同士が直接的にファイルの送受信を制御するため、サーバのファイル送受信制御を必要としない。第２に、情報表示装置１０１は、電源からの電力供給が途絶えた場合も、蓄電装置２０１からの放電が終了するまで、継続稼動が可能となる。したがって、サーバや発送電施設が稼動不可能もしくはサーバや発送電施設との接続が不可能となった場合でも、周囲の情報表示装置のみで継続してコンテンツ受信と表示が可能なので、災害時や事故発生時に継続して情報表示することが可能となるという効果が得られる。
【００６６】
［第３の実施形態］
次に、本発明の第３の実施形態について図面を参照して詳細に説明する。以下、本実施形態の説明が不明確にならない範囲で、前述の説明と重複する内容については説明を省略する。
【００６７】
図６は、本発明の第３の実施形態に係る情報表示装置１０２の構成を示すブロック図である。
【００６８】
図６を参照すると、本実施形態における情報表示装置１０２は、通信部１１２と制御部１２２と再生済みコンテンツＩＤ記憶部１４２から構成されている。
【００６９】
情報表示装置１０２のコンテンツ受信および表示の動作は、第１の実施形態の動作の一部と重複する。具体的には以下の通りである。
【００７０】
通信部１１２は、情報表示装置１０２の周囲に他の通信可能な情報表示装置があるかどうか確認をする（ステップＳ１０２）。具体的な確認方法は、例えば、通信部１１２から確認用信号を送信し、受信した他の通信可能な情報表示装置がレスポンス信号を情報表示装置１０２に送信する。次に、情報表示装置１０２の通信部１１２がそのレスポンス信号を受信することで通信部１１２または制御部１２２はレスポンス信号を送信した情報表示装置を認識する。これは一例であり、確認方法はどのような方法でも構わない。他の通信可能な情報表示装置の存在を認識できなかった場合は処理を終了する。
【００７１】
他の通信可能な情報表示装置の存在を認識できた場合（ステップＳ１０２でＹＥＳ）、次に、制御部１２２は、存在を認識した情報表示装置が記憶しているコンテンツのコンテンツＩＤを参照する（ステップＳ１０４）。
【００７２】
次に、制御部１２２は、ステップＳ１０４で一致と判断したコンテンツＩＤが、情報表示装置１０２の再生済みコンテンツＩＤリスト記憶部１４２に記憶されている再生済みコンテンツＩＤリストに記載されているかいないかを確認する（ステップＳ１０６）。
【００７３】
再生済みコンテンツＩＤリストに記載されていない場合（ステップＳ１０６でＹＥＳ）、制御部１２２は、通信部１１２を通じて、存在を認識した情報表示装置からコンテンツを受信し、図示しない出力部を用いて表示する（ステップＳ１１０、Ｓ１１２）。表示方法は、表示するコンテンツの種類により制御部１２２が決定する。また管理者や利用者が、図示しない入力部により決定してもよい。
【００７４】
コンテンツの表示開始後、制御部１２２は、受信したコンテンツのコンテンツＩＤを再生済みコンテンツＩＤリスト記憶部１４２が記憶する再生済みコンテンツＩＤリストに追加する（ステップＳ１１３）。
【００７５】
ステップＳ１０６で再生済みコンテンツＩＤリストに既に記載があった場合、通信部１１２は、存在を認識した情報表示装置との通信を終了し、周囲にまだ情報表示装置１０２と通信していない通信可能な情報表示装置があるかどうか確認をする（ステップＳ１０９）。確認方法はステップＳ１０２と同様である。他の通信可能な情報表示装置の存在を認識できた場合（ステップＳ１０９でＹＥＳ）、ステップＳ１０４に戻る。認識できなかった場合（ステップＳ１０９でＮＯ）、処理を終了する。
【００７６】
以上で、情報表示装置１０２は、コンテンツ受信および表示の動作を終了する。
【００７７】
本発明の第３の実施の形態の効果については第１の実施の形態の効果と同様である。
【００７８】
上述した本実施形態における情報表示装置１０２は、情報の受発信の確実性を高めることができる。また、事故や災害時でも継続してコンテンツ受信と表示の可能性を高めることができるという効果が得られる。
【００７９】
その理由は、以下のような構成を含むからである。即ち、過去に表示したコンテンツのコンテンツＩＤの履歴を記憶する再生済みコンテンツＩＤ記憶部（再生済みコンテンツＩＤリスト記憶部１４０）と、コンテンツや前記コンテンツＩＤの送受信を行う通信部１１０と、制御部１２０とを含むからである。そして、制御部１２０は、通信部１１０を介して周囲の通信可能な他の情報表示装置を検索し、コンテンツＩＤの履歴に基づいて受信するコンテンツを選択制御する。さらに、制御部１２０は、選択されたコンテンツを通信部１１０により受信して出力装置に表示する場合、そのコンテンツのコンテンツＩＤを再生済みコンテンツＩＤの履歴へ追加するからである。
【００８０】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００８１】
以上、各実施の形態を参照して本発明を説明したが、本発明は上記実施の形態に限定されるものではない。本発明の構成や詳細には、本発明のスコープ内で当業者が理解しえる様々な変更をすることができる。
【００８２】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００８３】
さらに、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【符号の説明】
【００８４】
１０    通信インタフェース
１１    ＣＰＵ
１２    出力装置
１３    入力装置
１４    主記憶装置
１５    二次記憶装置
１００、１０１、１０２    情報表示装置
１１０、１１２    通信部
１２０、１２２    制御部
１３０    要求種別記憶部
１４０    再生済みコンテンツＩＤリスト記憶部
１４２    再生済みコンテンツＩＤ記憶部
１５０    コンテンツ記憶部
１６０    受信モード記憶部
２０１    蓄電装置
３００    再生済みコンテンツＩＤリスト
【図１】
2014165783.tif 000003
【図２】
2014165783.tif 000004
【図３】
2014165783.tif 000005
【図４】
2014165783.tif 000006
【図５】
2014165783.tif 000007
【図６】
2014165783.tif 000008